(57)【要約】【課題】　　　　　フィードパン（３３）から送り出される脱粒物中の下層側の藁屑を上層側に移動させ、かつ脱粒物を揺動選別盤（３２）の左右幅方向に分散させる。【解決手段】　　　フィードパン（３３）とチャフシーブ（３６）を揺動選別盤（３２）に備えるコンバインにおいて、フィードパン（３３）の脱粒物を風選する送風口（６４）と、チャフシーブ（３６）の脱粒物を風選する送風口（６５ｂ）とを設けることを特徴とする。【選択図】　　　　図７
2004097230.tif 000002
【特許請求の範囲】
【請求項１】
　フィードパン（３３）とチャフシーブ（３６）を揺動選別盤（３２）に備えるコンバインにおいて、フィードパン（３３）の脱粒物を風選する送風口（６４）と、チャフシーブ（３６）の脱粒物を風選する送風口（６５ｂ）とを設けることを特徴とするコンバイン。
【請求項２】
　フィードパン（３３）とチャフシーブ（３６）を揺動選別盤（３２）に備えるコンバインにおいて、フィードパン（３３）の脱粒物を風選する送塵ファン（３７）と、チャフシーブ（３６）の脱粒物を風選する唐箕（３９）とを設けることを特徴とするコンバイン。
【請求項３】
　フィードパン（３３）の下方で唐箕（３９）の前側に送塵ファン（３７）を設け、フィードパン（３７）から送り出される脱粒物を送塵ファン（３７）によって風選することを特徴とする請求項２に記載のコンバイン。
【発明の詳細な説明】
【技術分野】
【０００１】
　本発明は穀稈を連続的に刈取って脱穀し、穀粒を収集するコンバインに関する。
【背景技術】
【０００２】
　従来、フィードパンとチャフシーブを揺動選別盤に備えると共に、チャフシーブの脱粒物を風選する唐箕を設ける技術がある。（例えば、特許文献１参照）
【０００３】
【特許文献１】特開平６−２９６４３０号公報
【発明の開示】
【発明が解決しようとする課題】
【０００４】
　前記従来技術は、フィードパンに落下する脱粒物をチャフシーブ上面に滑落させ、チャフシーブ側で風選し乍ら穀粒を下方の一番コンベアに落下させているから、チャフシーブの選別始端側では脱粒物の下層側に藁屑が混在することになり、下層側の藁屑が上層側の穀粒の重みによってチャフシーブ下方に落下し易い不具合があると共に、下層側の藁屑によって上層側の穀粒の漏下が阻止され易い不具合があり、例えば５条刈り又は６条刈り等の大型仕様でフィードパンに多量の脱粒物が落下するとき、チャフシーブの選別処理能力の向上並びにチャフシーブ構造の簡略化などを容易に行い得ない等の問題がある。
【課題を解決するための手段】
【０００５】
　然るに、本発明は、請求項１の如く、フィードパンとチャフシーブを揺動選別盤に備えるコンバインにおいて、フィードパンの脱粒物を風選する送風口と、チャフシーブの脱粒物を風選する送風口とを設けることを特徴とする。
【０００６】
　また、請求項２の如く、フィードパンとチャフシーブを揺動選別盤に備えるコンバインにおいて、フィードパンの脱粒物を風選する送塵ファンと、チャフシーブの脱粒物を風選する唐箕とを設けることを特徴とする。
【０００７】
　また、請求項３の如く、フィードパンの下方で唐箕の前側に送塵ファンを設け、フィードパンから送り出される脱粒物を送塵ファンによって風選することを特徴とする。
【発明の効果】
【０００８】
　請求項１に係る発明は、フィードパン（３３）とチャフシーブ（３６）を揺動選別盤（３２）に備えるコンバインにおいて、フィードパン（３３）の脱粒物を風選する送風口（６４）と、チャフシーブ（３６）の脱粒物を風選する送風口（６５ｂ）とを設けるもので、フィードパン（３３）から送り出される脱粒物を風選することにより、脱粒物中の下層側の藁屑を上層側に移動させることができ、かつ脱粒物を揺動選別盤（３２）の左右幅方向に分散させることができ、チャフシーブ（３６）の選別処理能力の向上並びにチャフシーブ（３６）構造の簡略化などを容易に行うことができるものである。
【０００９】
　また、請求項２に係る発明は、フィードパン（３３）とチャフシーブ（３６）を揺動選別盤（３２）に備えるコンバインにおいて、フィードパン（３３）の脱粒物を風選する送塵ファン（３７）と、チャフシーブ（３６）の脱粒物を風選する唐箕（３９）とを設けるもので、フィードパン（３３）から送り出される脱粒物を風選することにより、脱粒物中の下層側の藁屑を上層側に移動させることができ、かつ脱粒物を揺動選別盤（３２）の左右幅方向に分散させることができ、チャフシーブ（３６）の選別処理能力の向上並びにチャフシーブ（３６）構造の簡略化などを容易に行うことができるものである。
【００１０】
　また、請求項３に係る発明は、フィードパン（３３）の下方で唐箕（３９）の前側に送塵ファン（３７）を設け、フィードパン（３７）から送り出される脱粒物を送塵ファン（３７）によって風選するもので、フィードパン（３３）の脱粒物の送り終端部に送塵ファン（３７）を近接させてコンパクトに配置させることができ、しかも送塵ファン（３７）の選別風を効率良く供給させて風選能力を向上させることができるものである。
【発明を実施するための最良の形態】
【００１１】
　以下、本発明の実施例を図面に基づいて詳述する。図１は本発明に係る篩い線の側面図、図２はコンバインの全体側面図、図３は同平面図であり、図中（１）は走行クローラ（２）を装設するトラックフレーム、（３）は前記トラックフレーム（１）に架設する機台、（４）はフィードチェン（５）を左側に張架し扱胴（６）及び処理胴（７）を内蔵している脱穀部、（８）は刈刃（９）及び穀稈搬送機構（１０）などを備える刈取部、（１１）は刈取フレーム（１２）を介して刈取部（８）を昇降させる油圧シリンダ、（１３）は排藁チェン（１４）終端を臨ませる排藁処理部、（１５）は脱穀部（４）からの穀粒を揚穀筒（１６）を介して搬入する穀物タンク、（１７）は前記タンク（１５）の穀粒を機外に搬出する排出オーガ、（１８）は右側にドア（１８ａ）を有し、且つ、室内に運転操作部（１９）及び運転席（２０）を備える運転キャビン、（２１）は運転キャビン（１８）下方に設けるエンジンであり、連続的に穀稈を刈取って脱穀するように構成している。
【００１２】
　図４及び図５に示す如く、前記キャビン（１８）への乗降用の上下二段の補助ステップ（２２）（２３）を備えるもので、前記ステップ（２２）（２３）の内側端部をキャビン（１８）のステップ（１８ａ）の機外側端部より機内側で回動支点軸（２４）によって機台（３）に回動自在に支持すると共に、上下の補助ステップ（２２）（２３）をロッド（２５）によって連結し、機台（３）に固着する上下のセット位置ストッパ（２６）と、ロッド（２５）と機台（３）間に張設する上段の補助ステップ（２２）の回動支点軸（２４）に対する支点超えバネ（２７）とによって上下の補助ステップ（２２）（２３）を実線で示すように、機体右側の最外側となるキャビン（１８）の右側面より内側で水平姿勢のセット位置に保持する一方、前記バネ（２７）と下側のセット位置ストッパ（２６）に一体形成する収納位置ストッパ（２８）とによって上下の補助ステップ（２２）（２３）を仮想線で示すようにキャビン（１８）の右側面より内側に折り立てた姿勢の収納位置に保持し、機体右側の最外側からの突起物をなくし、中割刈取作業時、及び機体右側に畦やコンクリート壁等がある場合、前記上下の補助ステップ（２２）（２３）が邪魔になるのを防止している。さらに前記上下の補助ステップ（２２）（２３）は平行リンク構造で同じ垂直姿勢の収納位置に収納するのではなく、下段の補助ステップ（２３）は垂直姿勢の収納位置に収納し、上段の補助ステップ（２２）は下段の補助ステップ（２３）の収納角（９０度）より小さい収納角となるように傾斜姿勢の収納位置に収納するもので、キャビン（１８）への乗降時に上下の補助ステップ（２２）（２３）の出入れを半開き状態の上段の補助ステップ（２２）を操作して、且つ足でも操作して行えるように構成している。
【００１３】
　図６乃至図７に示す如く、図中（２９）は機体の前後方向に軸架する軸流型の扱胴（６）を内設させる扱室、（３０）は前記扱室（２９）に穀稈を挿入する扱口、（３１）は前記扱室（２９）下方に張架させるクリンプ網、（３２）は前記クリンプ網（３１）下方に前端を臨ませて前後方向に揺動自在に支持する揺動選別盤、（３３）（３４）は前記クリンプ網（３１）の下方に上下２段に配設する選別盤（３２）の前後フィードパン、（３５）は前フィードパン（３３）の後端側に上下揺動自在に設ける選別篩い線、（３６）は後フィードパン（３４）後端後方に連設するチャフシーブ、（３７）はチャフシーブ（３６）下方に配設するグレンシーブ、（３８）は前後フィードパン（３３）（３４）の上下間に選別風を送給するプレファンである送塵ファン、（３９）はチャフシーブ（３６）とグレンシーブ（３７）間及びグレンシーブ（３７）下方に選別風を送給するメインの送風装置である唐箕、（４０）は揚穀筒（１６）に連通させて穀物タンク（１５）に穀粒を取出す１番コンベア、（４１）は２番還元物を２番還元コンベア（４２）を介し前記選別盤（３２）の篩い線（３５）上方に還元する２番コンベア、（４３）は前記選別盤（３２）の後端上方に配設する吸排塵ファンであり、前記扱胴（６）及び処理胴（７）により脱穀された穀粒を揺動選別盤（３２）で選別し整粒のみを前記穀物タンク（１５）に取出すと共に、排藁を排藁チェン（１４）を介し排藁処理部（１３）に送り込んで排藁カッタ（４４）による切断後機外に排出させるように構成している。
【００１４】
　図１及び図８に示す如く、前記篩い線（３５）は断面丸形の線体（３５ａ）を門形に折曲形成して、選別盤（３２）の揺動軸（４６）に固設する篩い線受け（４７）に、選別盤（３２）の全巾に亘って各線体（３５ａ）を略等間に櫛歯状に固定させるもので、選別盤（３２）の左右側壁（３２ａ）（３２ｂ）間に回動自在に揺動軸（４６）を貫通支持させ、該揺動軸（４６）の篩い線受け（４７）に押え板（４８）及びボルト（４９）を介して篩い線（３５）の基端を挾着固定させている。
【００１５】
　また前記揺動選別盤（３２）は図７に示すように後側のローラ（５０）を脱穀側板（５１）に揺動駆動軸（５２）及びクランク軸（５３）を介し回転自在に支持させると共に、左右脱穀側板（５１）の内側面に前低後高状に傾斜固設する断面コ形の揺動駆動ガイドレール（５４）に、選別盤（３２）前側のローラ（５５）を嵌合支持させて、前記駆動軸（５２）の回転時選別盤（３２）後側を該軸（５２）を中心とした円運動で、前側をガイドレール（５４）に沿う直線往復運動とさせて、上下幅が小さく前後幅が大きい楕円軌跡（５６）で選別盤（３２）を前後及び上下に揺動するように構成している。
【００１６】
　そして、図１及び図８に示すように、前記揺動駆動ガイドレール（５４）とは別に左脱穀側板（５１）の内側面に前高後低状に傾斜固設する断面コ形の篩い線駆動ガイドレール（５７）に、前記篩い線（３５）の揺動ローラ（５８）を嵌合させるもので、前記揺動軸（４６）の左端に固設する揺動アーム（５９）の先端に長孔（６０）を介して揺動ローラ（５８）のローラ軸（６１）を係合支持させて、選別盤（３２）の揺動時、揺動ローラ（５８）をガイドレール（５７）に沿う直線往復運動とさせ、揺動アーム（５９）を軸（４６）を中心に揺動させて、前記篩い線（３５）を軸（４６）を中心とした上下揺動を行わしめるように構成している。
【００１７】
　また、図６乃至図８に示す如く、前記送塵ファン（３８）は前フィードパン（３３）の下位置で唐箕（３９）の前方位置に設けるもので、唐箕（３９）の唐箕ケース（６２）前面と、前フィードパン（３３）の底部間を送塵ファン（３８）のファンケース（６３）で覆って、前後フィードパン（３３）（３５）間に送風口（６４）を開設する一方、前記唐箕（３９）の上方には後フィードパン（３４）を配設して、チャフシーブ（３６）とグレンシーブ（３７）間及びグレンシーブ（３７）下方にそれぞれ選別風を送給する送風口（６５ａ）（６５ｂ）を唐箕（３９）の上部及び後部に開設して、前記篩い線（３５）や直接的にクリンプ網（３１）から落下する穀物や塵に送塵ファン（３８）からの選別風を、またチャフシーブ（３６）やグレンシーブ（３７）から落下する穀物や塵に唐箕（３９）からの選別風をそれぞれ別個に作用させて選別性能の安定向上を図るように構成している。さらに、前記篩い線（３５）の上下篩い作用によって後フィードパン（３４）やチャフシーブ（３６）での穀粒と塵と藁屑の分散化を促進させることができると共に、篩い線（３５）上方に２番還元コンベア（４２）の還元口（４２ａ）を臨ませて、２番還元物の分散化も図って、限定された選別巾内で大容量の穀物の処理を有効に可能とさせるように構成したものである。
【００１８】
　上記から明らかなように、フィードパン（３３）とチャフシーブ（３６）を揺動選別盤（３２）に備えるコンバインにおいて、フィードパン（３３）の脱粒物を風選する副送風口（６４）と、チャフシーブ（３６）の脱粒物を風選する主送風口（６５ｂ）とを設ける。そして、フィードパン（３３）から送り出される脱粒物を副送風口（６４）からの選別風によって風選することにより、脱粒物中の下層側の藁屑を上層側に移動させることができ、かつ脱粒物を揺動選別盤（３２）の左右幅方向に分散させることができ、チャフシーブ（３６）の選別処理能力の向上並びにチャフシーブ（３６）構造の簡略化などを行うことができる。
【００１９】
　また、フィードパン（３３）とチャフシーブ（３６）を揺動選別盤（３２）に備えるコンバインにおいて、フィードパン（３３）の脱粒物を風選する送塵ファン（３７）と、チャフシーブ（３６）の脱粒物を風選する唐箕（３９）とを設ける。そして、フィードパン（３３）から送り出される脱粒物を送塵ファン（３７）からの選別風によって風選することにより、脱粒物中の下層側の藁屑を上層側に移動させることができ、かつ脱粒物を揺動選別盤（３２）の左右幅方向に分散させることができ、チャフシーブ（３６）の選別処理能力の向上並びにチャフシーブ（３６）構造の簡略化などを容易に行うことができる。
【００２０】
　また、フィードパン（３３）の下方で唐箕（３９）の前側に送塵ファン（３７）を設け、フィードパン（３７）から送り出される脱粒物を送塵ファン（３７）によって風選する。そして、フィードパン（３３）の脱粒物の送り終端部に送塵ファン（３７）を近接させてコンパクトに配置させることができ、しかも送塵ファン（３７）の選別風を効率良く供給させて風選能力を向上させることができる。
【図面の簡単な説明】
【００２１】
【図１】本発明に係る篩い線の側面図。
【図２】コンバインの全体側面図。
【図３】コンバインの全体平面図。
【図４】補助ステップの側面図。
【図５】補助ステップの正面図。
【図６】脱穀部の断面側面図。
【図７】選別部の断面側面図。
【図８】篩い線の平面図。
【符号の説明】
【００２２】
　　　（３２）　揺動選別盤
　　　（３３）　フィードパン
　　　（３６）　チャフシーブ
　　　（３７）　送塵ファン
　　　（３９）　唐箕
　　　（６４）　送風口
　　　（６５ｂ）送風口
【図１】
2004097230.tif 000003
【図２】
2004097230.tif 000004
【図３】
2004097230.tif 000005
【図４】
2004097230.tif 000006
【図５】
2004097230.tif 000007
【図６】
2004097230.tif 000008
【図７】
2004097230.tif 000009
【図８】
2004097230.tif 000010